(57)【要約】【課題】  ＴＤＭないしはＳＴＭのような同期転送信号をパケット伝送プロトコルでカプセル化し、回線エミュレーションを行うインタフェース変換装置を用いたネットワークにおいて、パケット網の信頼性を向上させるためのプロテクション方式、およびそのプロテクション方式で使用されるインタフェース変換装置を提供する。【解決手段】  本発明のプロテクション方式は、同期転送信号をパケット信号に変換するインタフェース変換装置において、切替情報をＴＤＭ信号を多重化を行った後に付与する付加情報に含ませ、更にパケット網の宛先ヘッダを付与し、インタフェース変換装置のパケット網側ポートに１対の現用および予備のポートを設け、各々に対向するインタフェース変換装置間でパス伝送路を構築する。これらのパス伝送路を２重化ペアとすることでプロテクション方式を実現する。【選択図】  図１
2006067040.tif 000002
【特許請求の範囲】
【請求項１】
同期転送信号をパケット信号に変換およびその逆変換を行うインタフェース変換装置を同期転送網およびパケット網に接続し、
前記パケット網を介在して対向する２台の前記インタフェース変換装置間でパケット信号を伝送するパスを設定し、
前記パスでなんらかの障害が発生した場合に復旧を行うプロテクション方式であって、
前記パケット網内では、
前記各々のインタフェース変換装置のパケット網側接続端に接続される現用物理リンク並びに予備物理リンクおよび前記現用リンクに接続される現用サブパケット網および前記予備リンクに接続される予備サブパケット網を有し、
前記現用物理リンクおよび前記現用サブパケット網を経由して２台の前記インタフェース変換装置間で設定される現用パスを有し、
前記予備物理リンクおよび前記予備サブパケット網を経由して２台の前記インタフェース変換装置間で設定される予備パスを有し、
前記現用パスおよび前記予備パスを２重化ペアとして２重化構成を形成する
ことを特徴とするプロテクション方式。
【請求項２】
請求項１記載のプロテクション方式において、
前記インタフェース変換装置が３台以上存在し、
前記インタフェース変換装置の内いずれか２台のインタフェース変換装置間で設定されたパスが複数存在する場合に、
前記パケット網内では、
前記各々のインタフェース変換装置のパケット網側接続端に接続される各々の現用物理リンク並びに予備物理リンクを有し、
前記インタフェース変換装置の内いずれか２台のインタフェース変換装置間で設定される複数の現用パスが前記複数の現用物理リンクのうちのいずれかと前記現用サブパケット網とを経由して設定され、
前記インタフェース変換装置の内いずれか２台のインタフェース変換装置間で設定される複数の予備パスが前記複数の予備物理リンクのうちのいずれかと前記現用サブパケット網とを経由して設定され、
前記各々の現用パスが前記複数の予備パスのいずれか１つの予備パスをペアとして２重化構成を形成する
ことを特徴とする請求項１記載のプロテクション方式。
【請求項３】
請求項１記載のプロテクション方式において、前記インタフェース変換装置は、
前記パスの通信状態を相互に伝達し合う保守管理情報をパケット形式の信号データの内部に付加情報として含ませる
ことを特徴とする請求項１記載のプロテクション方式。
【請求項４】
請求項３記載のプロテクション方式において、前記付加情報に、
切替制御情報を含む
ことを特徴とする請求項３記載のプロテクション方式。
【請求項５】
請求項１記載のプロテクション方式において、前記インタフェース変換装置は、
保守管理専用パケットを使用して前記パスの通信状態を相互に伝達し合う保守管理情報を該保守管理専用パケットに含ませる
ことを特徴とする請求項１記載のプロテクション方式。
【請求項６】
請求項５記載のプロテクション方式において、前記保守管理専用パケットとして、
切替制御情報を伝達する保守管理専用パケットを使用する
ことを特徴とする請求項５記載のプロテクション方式。
【請求項７】
請求項１記載のプロテクション方式において、
前記インタフェース変換装置で、
前記パスを経由して連続的に到着するパケットの到着が断絶した場合に前記パスの接続障害と判定する接続障害検出手段を有し、
前記現用パスにおける接続障害を検出した場合に予備パスへの切替動作を行う
ことを特徴とする請求項１記載のプロテクション方式。
【請求項８】
請求項１記載のプロテクション方式において、
前記インタフェース変換装置で、
パケット網側接続端で発生した物理障害を検出する物理障害検出手段を有し、
現用物理リンクが接続される前記パケット網側接続端で物理障害を検出した場合に予備パスへの切替動作を行う
ことを特徴とする請求項１記載のプロテクション方式。
【請求項９】
請求項１記載のプロテクション方式において、
前記インタフェース変換装置で、
前記パスを経由して到着するパケットの欠落、重複、または順序入れ替わりを検出する手段を有し、
単位時間あたりに前記パケットの欠落、重複、または順序入れ替わり事象が発生する頻度が一定のしきい値を超過した場合に予備パスへの切替動作を行う
ことを特徴とする請求項１記載のプロテクション方式。
【請求項１０】
同期転送信号をパケット信号に変換およびその逆変換を行い、伝送区間の通信状態を相互に伝達し合う保守管理付加情報をパケット形式のデータの内部の付加情報として埋め込むインタフェース変換装置であって、
対となる現用系パケット送信物理インタフェース部並びに予備系パケット送信インタフェース部と、
対となる現用系パケット受信物理インタフェース部並びに予備系パケット受信インタフェース部と、
複数の受信同期転送信号物理インタフェースと、
複数の送信同期転送信号物理インタフェースと、
保守情報を終端する保守情報終端部と、
装置管理を行う装置管理部と、
同期転送信号をパケット信号に変換およびその逆変換を行うフレーム組立分解部を有し、
前記フレーム組立分解部では、
対となる現用系パケット組立部並びに予備系パケット組立部と、
対となる現用系パケット終端部並びに予備系パケット終端部と、
前記複数の受信同期転送信号物理インタフェースから受信した同期転送信号を多重して多重化同期転送信号を生成する多重化同期転送信号生成部と、
前記多重化同期転送信号に前記保守管理付加情報を付加し前記現用系パケット組立部並びに前記予備系パケット組立部の両方に出力する付加情報付与部と、
前記現用系パケット終端部並びに前記予備系パケット終端部から各々出力される信号に含まれる前記保守管理付加情報を終端し、各々多重化同期転送信号を出力する現用系付加情報終端部並びに予備系付加情報終端部と、
前記現用系付加情報終端部並びに前記予備系付加情報終端部から各々出力された多重化同期転送信号のうち、いずれか１つの多重化同期転送信号を選択する系セレクタと、
前記系セレクタから出力された多重化同期転送信号から同期転送信号を分離して、複数の送信同期転送信号物理インタフェースのいずれか１つまたは複数に出力する多重化同期転送信号分離部と、
前記保守情報終端部の保守情報を終端する保守情報インタフェースと、
２重化情報を管理する２重化情報管理部を有し、
前記保守情報インタフェースは、
前記現用系付加情報終端部並びに前記予備系付加情報終端部から各々出力された現用系パス終端情報および予備系パス終端情報を受信し、また２重化制御情報を前記２重化情報管理部に出力し、
前記２重化情報管理部は、
前記保守情報インタフェースから出力された前記２重化制御情報に基づいて付加情報付与部に切替制御付加情報を出力し、また系セレクタに系選択情報を出力し、
前記付加情報付与部では、
前記２重化情報管理部で出力された前記切替制御付加情報を前記多重化同期転送信号に付加し、
前記系セレクタは、
前記２重化情報管理部で出力された前記系情報に従って選択動作を行う
ことを特徴とするインタフェース変換装置。
【請求項１１】
請求項１０記載のインタフェース変換装置において、前記２重化情報管理部は、
前記２重化制御情報を記憶する２重化情報管理テーブルと、
前記２重化情報管理テーブルから切替制御情報を読み出して付加情報を生成し前記付加情報付与部に出力する切替制御付加情報管理部と、
前記２重化情報管理テーブルから系選択情報を読み出して前記系セレクタに出力する選択系管理部を有する
ことを特徴とする請求項８記載のインタフェース変換装置。
【請求項１２】
請求項１０記載のインタフェース変換装置において、
前記保守情報終端部は、
前記フレーム組立分解部との間で保守情報を送受信する保守情報インタフェースと、
保守情報インタフェースから前記保守情報を受信して状態遷移制御部に状態遷移イベント情報を出力する受信側切替情報終端部と、
前記状態遷移イベント情報を参照して状態遷移を制御する状態遷移制御部と、
前記状態遷移制御部で判断された遷移状態に基づいて保守情報を生成し保守情報インタフェースに出力する送信側切替情報終端部とを有することを特徴とする請求項８記載のインタフェース変換装置。
【請求項１３】
同期転送信号をパケット信号に変換およびその逆変換を行い、伝送区間の通信状態を示す保守管理情報を、パケット形式のデータの内部の付加情報として埋め込み、あるいは保守管理専用パケットを使用して相互に伝達し合うインタフェース変換装置であって、
対となる現用系パケット送信物理インタフェース部並びに予備系パケット送信インタフェース部と、
対となる現用系パケット受信物理インタフェース部並びに予備系パケット受信インタフェース部と、
複数の受信同期転送信号物理インタフェースと、
複数の送信同期転送信号物理インタフェースと、
保守情報を終端する保守情報終端部と、
装置管理を行う装置管理部と、
同期転送信号をパケット信号に変換およびその逆変換を行うフレーム組立分解部を有し、
前記フレーム組立分解部では、
対となる現用系パケット組立部並びに予備系パケット組立部と、
対となる現用系パケット終端部並びに予備系パケット終端部と、
前記複数の受信同期転送信号物理インタフェースから受信した同期転送信号を多重して多重化同期転送信号を生成する多重化同期転送信号生成部と、
前記多重化同期転送信号に前記保守管理付加情報を付加し前記現用系パケット組立部並びに前記予備系パケット組立部の両方に出力する付加情報付与部と、
前記現用系パケット終端部並びに前記予備系パケット終端部から各々出力される信号に含まれる前記保守管理付加情報を終端し、各々多重化同期転送信号を出力する現用系付加情報終端部並びに予備系付加情報終端部と、
前記現用系付加情報終端部並びに前記予備系付加情報終端部から各々出力された多重化同期転送信号のうち、いずれか１つの多重化同期転送信号を選択する系セレクタと、
前記系セレクタから出力された多重化同期転送信号から同期転送信号を分離して、複数の送信同期転送信号物理インタフェースのいずれか１つまたは複数に出力する多重化同期転送信号分離部と、
前記保守情報終端部の保守情報を終端する保守情報インタフェースと、
２重化情報を管理する２重化情報管理部と、
切替制御パケットを挿入する切替制御パケット挿入部
を有し、
前記保守情報インタフェースは、
前記現用系付加情報終端部並びに前記予備系付加情報終端部から各々出力された現用系パス終端情報および予備系パス終端情報を受信し、また２重化制御情報を前記２重化情報管理部に出力し、
前記２重化情報管理部は、
前記保守情報インタフェースから出力された前記２重化制御情報に基づいて切替制御パケット情報を出力し、また系セレクタに系選択情報を出力し、
前記切替制御パケット挿入部は、
前記多重化同期転送信号が前記保守管理付加情報を付与した多重化同期転送信号流に切替制御パケットを挿入し、
前記系セレクタは、
前記２重化情報管理部で出力された前記系情報に従って選択動作を行う
ことを特徴とするインタフェース変換装置。
【請求項１４】
請求項１３記載のインタフェース変換装置において、前記２重化情報管理部は、
前記２重化制御情報を記憶する２重化情報管理テーブルと、
前記２重化情報管理テーブルから切替制御情報を読み出して切替制御パケットを生成し前記切替制御パケット挿入部に出力する切替制御パケット管理部と、
前記２重化情報管理テーブルから系選択情報を読み出して前記系セレクタに出力する選択系管理部を有する
ことを特徴とする請求項１３記載のインタフェース変換装置。
【発明の詳細な説明】
【技術分野】
【０００１】
本発明はインタフェース変換装置およびプロテクション方式に係わり、ＴＤＭ（Ｔｉｍｅ  Ｄｉｖｉｓｉｏｎ  Ｍｕｔｉｐｌｅｘｉｎｇ）ないしはＳＴＭ（Ｓｙｎｃｈｒｏｎｏｕｓ  Ｔｒａｎｓｍｉｓｓｉｏｎ  Ｍｏｄｅ）のような同期転送信号をパケット伝送プロトコルでカプセル化し、回線エミュレーションを行うインタフェース変換装置のプロテクション方式、およびその２重化構成系で使用されるインタフェース変換装置に関する。パケットのプロトコルとしては、特にＩＥＥＥ８０２．３規定のＭＡＣ、ＩＥＴＦ（Ｉｎｔｅｒｎｅｔ Ｔａｓｋ Ｆｏｒｃｅ） ＲＦＣ７９１規定のＩＰ、およびＩＥＴＦ ＲＦＣ３０３１規定のＭＰＬＳに関係するが、これらに限らない。
【背景技術】
【０００２】
経済的な専用線の需要を背景として、ＩＰをベースとしたＩＰ−ＶＰＮ（Ｖｉｒｔｕａｌ  Ｐｒｉｖａｔｅ  Ｎｅｔｗｏｒｋ）が急速に普及してきたが、更に近年では、ＬＡＮ技術であったイーサネット（登録商標）を使用する広域イーサネット（登録商標）も専用線として注目されている。特にイーサネット（登録商標）をキャリア網、メトロ系に適用するニーズも高まっているが、ＩＰ、イーサネット（登録商標）等のパケット網を既存ネットワークに適用する際には、既存網とパケット網とのインタフェース変換を行うインターワーキング技術が必要となる。また、キャリア網に適用する場合には、キャリアによる網管理を視野に入れた障害管理手法が必要となる。
【０００３】
本発明における第１の従来技術として、電子情報通信学会技術研究報告ＣＳ２００４−３５（２００４−０７）（非特許文献１）が存在する。本従来技術は、同期転送信号をパケット伝送信号に変換するインタフェース変換装置に係り、本従来技術は、ＴＤＭ信号をＭＡＣフレームにカプセル化しイーサネット（登録商標）網内を転送する技術を開示し、イーサネット（登録商標）網内で途中までは同一経路を転送されるが、最終目的地の異なるユーザーチャネル情報を、途中までは同一パケットに多重して、データネットワーク内でチャネルを組み替えて、それぞれの最終目的地まで転送する手段を提示した。本従来技術によるカプセル化方式は、ＴＤＭ信号を多重化し、付加情報を挿入し、更にパケットヘッダを付与する。この手段により、パケットのヘッダに記述されたラベルによる経路転送を行うことで、２台のインタフェース変換装置間でエンドツーエンドのパス伝送路が構築され、ＴＤＭ回線交換装置を模擬することが可能となった。
【０００４】
また、本従来技術は、障害管理手段として、警報転送、網クロック、性能監視等従来ネットワークが備えていたＯＡＭ情報を合わせて転送する機能を実現する手段が開示された。上述の付加情報に管理情報を含ませることで、簡易な構成で障害管理を行うことを可能とした。
【０００５】
本発明における第２の従来技術として、ＩＴＵ−Ｔ勧告Ｙ．１４１３（非特許文献１）が存在する。本従来技術は、ＴＤＭ信号をＭＰＬＳでカプセル化するＴＤＭ−ＭＰＬＳインターワーキング技術に関し、要求条件、メカニズム、フォーマットについての規格を規定する。
【０００６】
【非特許文献１】電子情報通信学会技術研究報告”ＴＤＭ  ｏｖｅｒ  Ｅｔｈｅｒｎｅｔ回線エミュレーション機能の開発”、ＣＳ２００４−３５（２００４−０７）
【非特許文献２】ＩＴＵ−Ｔ勧告Ｙ．１４１３（０３／２００４）、ＳＥＲＩＥＳ  Ｙ：ＧＬＯＢＡＬ  ＩＮＦＯＲＭＡＴＩＯＮ  ＩＮＦＲＡＳＴＲＡＣＴＵＲＥ  ＡＮＤ  ＩＮＴＥＲＮＥＴ  ＰＲＯＴＯＣＯＬ  ＡＳＰＥＣＴＳ、ＴＤＭ-ＭＰＬＳ  ｎｅｔｗｏｒｋ  ｉｎｔｅｒｗｏｒｋｉｎｇ  −  Ｕｓｅｒ  ｐｌａｎｅ  ｉｎｔｅｒｗｏｒｋｉｎｇ
【発明の開示】
【発明が解決しようとする課題】
【０００７】
前述のように、非特許文献１では、同期転送信号をパケット伝送信号に変換するインタフェース変換装置において、ネットワークの保守性を高めるために障害管理手段が開示されたが、イーサネット（登録商標）網などのパケット網を既存のキャリア網に適用する場合の更なる課題としては、網の信頼性の向上が挙げられる。そのためには、冗長化技術の開発が必要となる。
【０００８】
ところが、同期転送信号をパケット伝送信号に変換するインタフェース変換装置を使用した系で、冗長構成に関する技術を開示した文献は存在しない。
【０００９】
本発明が解決する課題は、ＴＤＭないしはＳＴＭのような同期転送信号をパケット伝送プロトコルでカプセル化し回線エミュレーションを行うインタフェース変換装置を用いたネットワークにおいて、パケット網の信頼性を向上させるためのプロテクション方式、およびそのプロテクション方式で使用されるインタフェース変換装置を提供する。
【課題を解決するための手段】
【００１０】
上記課題を解決するために、本発明のプロテクション方式は、同期転送信号をパケット信号に変換するインタフェース変換装置において、パケット網側に１対の現用および予備のポートを設け、各々にパスを構築する。これらのパスを２重化ペアとすることでプロテクションを実現する。切替情報は、ＴＤＭ信号の多重化を行って付与する付加情報に含ませるか、あるいは切替制御専用パケットを使用する。
【００１１】
本発明の第１の解決手段によると、同期転送信号をパケット信号に変換およびその逆変換を行うインタフェース変換装置を同期転送網およびパケット網に接続し、前記パケット網を介在して対向する２台の前記インタフェース変換装置間でパケット信号を伝送するパスを設定し、前記パスでなんらかの障害が発生した場合に復旧を行うプロテクション方式であって、前記パケット網内では、前記各々のインタフェース変換装置のパケット網側接続端に接続される現用物理リンク並びに予備物理リンクおよび前記現用リンクに接続される現用サブパケット網および前記予備リンクに接続される予備サブパケット網を有し、前記現用物理リンクおよび前記現用サブパケット網を経由して２台の前記インタフェース変換装置間で設定される現用パスを有し、前記予備物理リンクおよび前記予備サブパケット網を経由して２台の前記インタフェース変換装置間で設定される予備パスを有し、前記現用パスおよび前記予備パスを２重化ペアとして２重化構成を形成することを特徴とするプロテクション方式
が提供される。
【発明の効果】
【００１２】
本発明は、ＴＤＭないしはＳＴＭのような同期転送信号をパケット伝送プロトコルでカプセル化し、回線エミュレーションを行うインタフェース変換装置を用いたネットワークにおいて、パケット網の信頼性を向上させることを可能とする。
【発明を実施するための最良の形態】
【００１３】
以下、本発明の第１の実施形態について、図面を用いて説明する。
【００１４】
図１は、本発明の２重化方法の実施形態によるネットワークの構成を示すブロックの１実施例である。このネットワークは、パケット網１０１、本実施の形態に係る同期転送信号をパケットに変換する、あるいは逆変換を行うインタフェース変換装置１０２−１、２、従来からのＴＤＭ網１０３−１、２、ＴＤＭ網に接続される端末１０４−１、２、インタフェース変換装置１０２−１に接続される現用物理リンク１０５−１および予備物理リンク１０６−１、インタフェース変換装置１０２−２に接続される現用物理リンク１０５−２および予備物理リンク１０６−２、現用物理リンク１０５−１、２を結合する現用サブパケット網１０９、予備物理リンク１０６−１、２を結合する予備サブパケット網１１０、現用物理リンク１０５−１および現用サブパケット網１０９および現用物理リンク１０５−２を伝送しインタフェース変換装置１０２−１、２間で構築される現用パス１０７、予備物理リンク１０６−１および予備サブパケット網１１０および予備物理リンク１０６−２を伝送しインタフェース変換装置１０２−１、２間で構築される予備パス１０８を備える。パケット網１０１は、ＩＰ網などのＬ３網またはイーサネット（登録商標）網などのＬ２網またはＭＰＬＳ網などに相当する。この系では、端末装置１０４−１は端末装置１０４−２とエンドツーエンドの通信を行うことを目的とする。
【００１５】
端末装置１０４−１から送出されたＴＤＭ信号は、ＴＤＭ網１０３−１を介してインタフェース変換装置１０２−１に収容される。インタフェース変換装置１０２−１は、ＴＤＭ網１０３−１を収容し、イーサフレームまたはＩＰパケットまたはＭＰＬＳパケットなどのパケット信号に変換し、インタフェース変換装置１０２−２宛に相当する宛先情報を付加されて、パケット網１０１へパケット信号を送出する。パケット網１０１に送出されたパケット信号は、現用パス１０７および予備パス１０８の内いずれか、または両方に対して送信される。例えば、１：１切替構成の場合は現用パス１０７のみに送出され、１＋１切替構成の場合は現用パス１０７および予備パス１０８の両方に送信される。現用サブパケット網１０９および予備サブパケット網１１０内では、網内の経路振分装置によって網内の経路振分装置によって宛先情報に従って配信されて、インタフェース変換装置１０２−２まで転送される。インタフェース変換装置１０２−２に到着したパケット信号は、インタフェース変換装置１０２−２でＴＤＭ信号に再構成され、ＴＤＭ網１０３−２を介して端末１０４−２に送出される。網内の経路振分装置は、例えば、パケット網１０１がＬ２網ならばＬ２スイッチ、ＶＬＡＮスイッチなど、Ｌ３網ならばＬ３スイッチまたはルータなど、ＭＰＬＳ網ならばＬＳＲ（Ｌａｂｅｌ  Ｓｗｉｔｃｈｅｄ  Ｒｏｕｔｅｒ）などに相当する。
【００１６】
上記説明では、ＴＤＭ網に接続される端末１０４−１から１０４−２への信号の流れについて説明を行ったが、ＴＤＭ網に接続される端末１０４−２から１０４−１への信号の流れについても同様のインタフェース変換が行われ、双方向の信号送受信が可能である。
【００１７】
図２は、本発明のプロテクション方式の第２の実施形態によるネットワークの構成を示すブロックの１実施例である。このネットワークは、図１に加えて、インタフェース変換装置１０２−３、ＴＤＭ網１０３−３、ＴＤＭ網に接続される端末１０４−３、インタフェース変換装置１０２−３に接続される現用物理リンク１０５−３および予備物理リンク１０６−３、現用物理リンク１０５−１および現用サブパケット網１０９および現用物理リンク１０５−３を伝送しインタフェース変換装置１０２−１、３間で構築される現用パス１０７-２、予備物理リンク１０６−１および予備サブパケット網１１０および予備物理リンク１０６−３を伝送しインタフェース変換装置１０２−１、３間で構築される予備パス１０８−２を備える。この系では、端末装置１０４−１と端末装置１０４−２がエンドツーエンドの通信を行い、端末装置１０４−１と端末装置１０４−３がエンドツーエンドの通信を行うことを目的とする。
【００１８】
端末装置１０４−１から送出された端末装置１０４−２宛および端末装置１０４−３宛のＴＤＭ信号は、ＴＤＭ網１０３−１を介してインタフェース変換装置１０２−１に収容される。インタフェース変換装置１０２−１は、ＴＤＭ網１０３−１を収容し、イーサフレームまたはＩＰパケットまたはＭＰＬＳパケットなどのパケット信号に変換し、端末装置１０４−２宛の信号にはインタフェース変換装置１０２−２宛ての宛先情報を、端末装置１０４−３宛の信号にはインタフェース変換装置１０２−３宛の宛先情報を各々付加して、パケット網１０１へパケット信号を送出する。パケット網１０１に送出されたパケット信号は、現用パス１０７および予備パス１０８の内いずれか、または両方に対して送信される。例えば、１：１切替構成の場合は現用パス１０７のみに送出され、１＋１切替構成の場合は現用パス１０７および予備パス１０８の両方に送信される。現用サブパケット網１０９および予備サブパケット網１１０内では、網内の経路振分装置によって宛先情報に従って配信されて、それぞれの最終目的のインタフェース変換装置１０２−２、３まで転送される。インタフェース変換装置１０２−２、３に到着した各々パケット信号は、各々インタフェース変換装置１０２−２、３でＴＤＭフレームに再構成され、各々ＴＤＭ網１０３−２、３を介して各々端末１０４−２、３に送出される。
【００１９】
上記説明では、ＴＤＭ網に接続される端末１０４−１から１０４−２へ、および端末１０４−１から１０４−３の信号の流れについて説明を行ったが、ＴＤＭ網に接続される端末１０４−２から１０４−１への信号の流れ、あるいは端末１０４−３から１０４−１への信号の流れについても同様のインタフェース変換が行われ、双方向の信号送受信が可能である。
【００２０】
切替制御情報の伝達手段の第１の実施例として、前記パスの通信状態を相互に伝達し合う保守管理情報をパケット形式の信号データの内部に付加情報として含ませ、該付加情報に切替制御情報を含ませる方式がある。図１３は、切替制御情報の伝達手段の第１の実施例を示している。図１３は、切替付加情報１３０２−１〜４が付加された主信号パケット１３０１−１が、パケット網１０１内に伝送されるパケット流を示す。
【００２１】
切替制御情報の伝達手段の第２の実施例として、前記パスの通信状態を相互に伝達し合う保守管理情報を含む保守管理専用パケットを使用し、該保守管理専用パケットとして切替制御情報を伝達する保守管理専用パケットを使用する方式がある。図１４は、切替制御情報の伝達手段の第２の実施例を示している。図１４は、主信号パケット流１３１１−１〜３の間に保守管理専用パケット１３１２が挿入されて、パケット網１０１内に伝送されるパケット流を示す。
【００２２】
図１４に示される保守管理専用パケットは、保守管理対象となるパス毎に定義され、その挿入タイミングは一定の時間間隔毎に挿入される場合と、なんらかの切替イベントや切替状態の変化などが発生したタイミングで挿入される場合が考えられる。
【００２３】
図３は、本発明のインタフェース変換装置が前記パケット網１０１に送信するＰＤＵ（Ｐｒｏｔｏｃｏｌ  Ｄａｔａ  Ｕｎｉｔ）の内容を示す１実施例である。本実施例は、切替制御情報の伝達手段の第１の実施例として説明した、前記パスの通信状態を相互に伝達し合う保守管理情報をパケット形式の信号データの内部に付加情報として含ませ、該付加情報に切替制御情報を含ませる方式に使用される。
【００２４】
ＰＤＵ４４１は、前記パケット網１０１がＬ２網の場合のＰＤＵの内容を示している。ＰＤＵ４４１は、Ｌ２ヘッダ４１０、付加情報４０１、多重化ＴＤＭ信号４０２、Ｌ２トレイラ４１１より構成され、Ｌ２ヘッダ４１０の実施例として、ＭＡＣヘッダ４１２、ＶＬＡＮタグ４１３を示している。ＭＡＣヘッダはＩＥＥＥ８０２．３で規定され、ＶＬＡＮタグはＩＥＥＥ８０２．１Ｑにおいて規定される。前記宛先情報の例として、ＶＬＡＮタグのＶＩＤ（Ｖｉｒｔｕａｌ  ＬＡＮ  Ｉｄｅｎｔｉｆｉｅｒ）や、ＭＡＣヘッダのＤＡ（Ｄｅｓｔｉｎａｔｉｏｎ  Ａｄｄｒｅｓｓ）が使用できる。
【００２５】
ＰＤＵ４４２は、前記パケット網１０１がＬ３網の場合のＰＤＵの内容を示している。ＰＤＵ４４２は、Ｌ３ヘッダ４２０、付加情報４０１、多重化ＴＤＭ信号４０２、Ｌ３トレイラ４２１より構成され、Ｌ３ヘッダ４２０の実施例として、ＩＰｖ４またはＩＰｖ６ヘッダ４２２を示している。ＩＰｖ４ヘッダはＩＥＴＦ  ＲＦＣ７９１、ＩＰｖ６ヘッダはＩＥＴＦ  ＲＦＣ１８８３によって規定される。前記宛先情報の例として、ＩＰヘッダの宛先ＩＰアドレスが使用できる。
【００２６】
ＰＤＵ４４３は、前記パケット網１０１がＭＰＬＳ網の場合のＰＤＵの内容を示している。ＰＤＵ４４３は、１つまたは２つ以上のＭＰＬＳラベル４３１−１〜ｎ、付加情報４０１、多重化ＴＤＭ信号４０２より構成される。ＭＰＬＳヘッダはシムヘッダと呼ばれＩＥＴＦ  ＲＦＣ３０３２によって規定される。前記宛先情報の例として、付加情報に近接したＭＰＬＳラベル４３１のラベル領域が使用できる。
【００２７】
図４は、前記付加情報４０１の内容の１実施例を示している。付加情報４０１−１は、パケットの欠落、重複、順序入れ替わりを検出するためのシーケンスナンバ（ＳＮ）５０１、ＴＤＭ情報の先頭位置を示すポインタ（ＰＴＲ）５０２、ＴＤＭ多重回線での物理レイヤ警報を伝達するためのアラーム（ＡＬＭ）５０３、物理レイヤでの回線品質を伝達するためのエラー情報（ＥＲＲ）５０４、多重化を行ったＴＤＭ情報の多重化方法を示すラベル（ＬＡＢＥＬ）５０５、ＴＤＭ情報の長さをあらわすレングス情報（ＬＥＮ）５０６、切替情報（ＡＰＳ）５００を含む。
【００２８】
図５は、前記付加情報４０１の内容の第２の実施例を示している。付加情報４０１−２は、制御情報５０７、フレームのフラグメンテーションを行うためのフラグメンテーション情報（ＦＲＧ）５１１、ＴＤＭ情報の長さをあらわすレングス情報（ＬＥＮ）５１２、パケットの欠落、重複、順序入れ替わりを検出するためのシーケンスナンバ（ＳＮ）５１３、切替情報（ＡＰＳ）５００を含み、制御情報５０７は、自局障害情報を表すＬ領域５０８、遠隔端障害を表すＲ領域５０９、障害状態を表すＭ領域５１０から構成される。付加情報４０１−２のうち、制御情報（ＣＴＲ）５０７、フラグメンテーション情報（ＦＲＧ）５１１、レングス情報（ＬＥＮ）５１２、シーケンスナンバ（ＳＮ）５１３は、ＩＴＵ−Ｔ勧告Ｙ．１４１３の共通インタワーキングインディケータ（Ｃｏｍｍｏｎ  Ｉｎｔｅｒｗｏｒｋｉｎｉｇ  Ｉｎｄｉｃａｔｏｒ）の内容に相当する。
【００２９】
図６は、前記切替情報（ＡＰＳ）５００の内容の実施例を示す。前記切替情報（ＡＰＳ）５００は、切替要求の場合は切替要求系を表しその他の場合は選択系を示す系表示情報（Ｋ）６０１、自局の０系パス障害状態を示す０系障害情報（ＡＬＭ０）６０２、自局の１系パス障害状態を示す１系障害情報（ＡＬＭ１）６０３、切替状態を表す切替制御情報（ＯＰ）６０４、切替動作の許可または禁止状態を表すイネーブル情報（ＥＮ）６０５から構成される。
【００３０】
系表示情報（Ｋ）６０１の内容の例として、例えば、０系選択状態または０系要求状態、あるいは１系選択状態または１系要求状態が考えられ、コードの例としては、２ビットから構成され、２進数コード’０１’である場合に０系選択状態または０系要求状態を表し、２進数コード’１０’である場合に１系選択状態または１系要求状態を表す方法が考えられる。
【００３１】
０系障害情報（ＡＬＭ０）６０２の内容の例として、例えば、自局０系パスに障害がなく正常であること、あるいは自局０系パスに障害が発生していること、などが考えられ、コードの例としては、１ビットから構成され、自局０系パスに障害がなく正常であることを示し、２進数コード’１’である場合に自局０系パスに障害が発生していることを示す方法が考えられる。
【００３２】
１系障害情報（ＡＬＭ１）６０３の内容の例として、例えば、自局１系パスに障害がなく正常であること、あるいは自局１系パスに障害が発生していること、などが考えられ、コードの例としては、１ビットから構成され、自局１系パスに障害がなく正常であることを示し、２進数コード’１’である場合に自局１系パスに障害が発生していることを示す方法が考えられる。
【００３３】
切替制御情報（ＯＰ）６０４の内容の例として、例えば、アイドル状態通知、切替要求、切替応答などがあり、コードの例としては、２ビットから構成され、２ビットから構成され、２進数コード’１１’である場合に切替要求状態を表し、２進数コード’０１’である場合に切替応答状態を表し、２進数コード’００’、’１０’である場合にアイドル状態を表す、などが考えられる。
【００３４】
イネーブル情報（ＥＮ）６０５の内容の例として、例えば、切替動作の許可または禁止状態を表す、などがあり、コードの例としては、１ビットから構成され、’１’である場合に切替動作を許可し、’０’である場合に切替動作を禁止する、などが考えられる。
【００３５】
図１５は、本発明のインタフェース変換装置が前記パケット網１０１に送信するＰＤＵ（Ｐｒｏｔｏｃｏｌ  Ｄａｔａ  Ｕｎｉｔ）の内容を示す第２の実施例である。本実施例は、保守管理専用パケットのＰＤＵを示し、切替制御情報の伝達手段の第２の実施例として説明した、前記パスの通信状態を相互に伝達し合う保守管理情報を含む保守管理専用パケットを使用し、該保守管理専用パケットとして切替制御情報を伝達する保守管理専用パケットを使用する方式で、かつ、前記宛先情報が主信号パケットと異なった保守管理専用パケットに固有の宛先情報を付与する方式に使用される。
【００３６】
ＰＤＵ１４５１は、前記パケット網１０１がＬ２網の場合の保守管理専用パケットのＰＤＵの内容を示している。ＰＤＵ１４５１は、Ｌ２ヘッダ４１０、保守管理ペイロード１４０１、Ｌ２トレイラ４１１より構成され、Ｌ２ヘッダ４１０の実施例として、ＭＡＣヘッダ４１２、ＶＬＡＮタグ４１３を示している。ＭＡＣヘッダはＩＥＥＥ８０２．３で規定され、ＶＬＡＮタグはＩＥＥＥ８０２．１Ｑにおいて規定される。前記宛先情報の例として、ＶＬＡＮタグのＶＩＤ（Ｖｉｒｔｕａｌ  ＬＡＮ  Ｉｄｅｎｔｉｆｉｅｒ）や、ＭＡＣヘッダのＤＡ（Ｄｅｓｔｉｎａｔｉｏｎ  Ａｄｄｒｅｓｓ）が使用できる。この宛先情報は、保守管理専用パケットに固有の宛先情報を付与する。
【００３７】
ＰＤＵ１４５２は、前記パケット網１０１がＬ３網の場合のＰＤＵの内容を示している。ＰＤＵ１４５２は、Ｌ３ヘッダ４２０、保守管理ペイロード１４０１、Ｌ３トレイラ４２１より構成され、Ｌ３ヘッダ４２０の実施例として、ＩＰｖ４またはＩＰｖ６ヘッダ４２２を示している。ＩＰｖ４ヘッダはＩＥＴＦ  ＲＦＣ７９１、ＩＰｖ６ヘッダはＩＥＴＦ  ＲＦＣ１８８３によって規定される。前記宛先情報の例として、ＩＰヘッダの宛先ＩＰアドレスが使用できる。この宛先情報は、保守管理専用パケットに固有の宛先情報を付与する。
【００３８】
ＰＤＵ１４５３は、前記パケット網１０１がＭＰＬＳ網の場合のＰＤＵの内容を示している。ＰＤＵ１４５３は、１つまたは２つ以上のＭＰＬＳラベル４３１−１〜ｎ、保守管理ペイロード１４０１より構成される。ＭＰＬＳヘッダはシムヘッダと呼ばれＩＥＴＦ  ＲＦＣ３０３２によって規定される。前記宛先情報の例として、付加情報に近接したＭＰＬＳラベル４３１のラベル領域が使用できる。この宛先情報は、保守管理専用パケットに固有の宛先情報を付与する。
【００３９】
図１６は、本発明のインタフェース変換装置が前記パケット網１０１に送信するＰＤＵ（Ｐｒｏｔｏｃｏｌ  Ｄａｔａ  Ｕｎｉｔ）の内容を示す第３の実施例である。本実施例は、保守管理専用パケットのＰＤＵを示し、切替制御情報の伝達手段の第２の実施例として説明した、前記パスの通信状態を相互に伝達し合う保守管理情報を含む保守管理専用パケットを使用し、該保守管理専用パケットとして切替制御情報を伝達する保守管理専用パケットを使用する方式で、かつ、前記宛先情報が保守対象となるパスに付与する宛先と同一の値を付与する方式で使用される。
【００４０】
ＰＤＵ１４５４は、前記パケット網１０１がＬ２網の場合の保守管理専用パケットのＰＤＵの内容を示している。ＰＤＵ１４５４は、Ｌ２ヘッダ４１０、ＰＤＵ識別子１４０２、保守管理ペイロード１４０１、Ｌ２トレイラ４１１より構成され、Ｌ２ヘッダ４１０の実施例として、ＭＡＣヘッダ４１２、ＶＬＡＮタグ４１３を示している。ＭＡＣヘッダはＩＥＥＥ８０２．３で規定され、ＶＬＡＮタグはＩＥＥＥ８０２．１Ｑにおいて規定される。前記宛先情報の例として、ＶＬＡＮタグのＶＩＤ（Ｖｉｒｔｕａｌ  ＬＡＮ  Ｉｄｅｎｔｉｆｉｅｒ）や、ＭＡＣヘッダのＤＡ（Ｄｅｓｔｉｎａｔｉｏｎ  Ａｄｄｒｅｓｓ）が使用できる。この宛先情報は、保守対象となるパスと同一の宛先情報を付与する。
【００４１】
ＰＤＵ１４５５は、前記パケット網１０１がＬ３網の場合のＰＤＵの内容を示している。ＰＤＵ１４５５は、Ｌ３ヘッダ４２０、ＰＤＵ識別子１４０２、保守管理ペイロード１４０１、Ｌ３トレイラ４２１より構成され、Ｌ３ヘッダ４２０の実施例として、ＩＰｖ４またはＩＰｖ６ヘッダ４２２を示している。ＩＰｖ４ヘッダはＩＥＴＦ  ＲＦＣ７９１、ＩＰｖ６ヘッダはＩＥＴＦ  ＲＦＣ１８８３によって規定される。前記宛先情報の例として、ＩＰヘッダの宛先ＩＰアドレスが使用できる。この宛先情報は、保守対象となるパスと同一の宛先情報を付与する。
【００４２】
ＰＤＵ１４５６は、前記パケット網１０１がＭＰＬＳ網の場合のＰＤＵの内容を示している。ＰＤＵ１４５６は、１つまたは２つ以上のＭＰＬＳラベル４３１−１〜ｎ、ＰＤＵ識別子１４０２、保守管理ペイロード１４０１より構成される。ＭＰＬＳヘッダはシムヘッダと呼ばれＩＥＴＦ  ＲＦＣ３０３２によって規定される。前記宛先情報の例として、付加情報に近接したＭＰＬＳラベル４３１のラベル領域が使用できる。この宛先情報は、保守対象となるパスと同一の宛先情報を付与する。
【００４３】
図１７は、本発明のインタフェース変換装置が前記パケット網１０１に送信するＰＤＵ（Ｐｒｏｔｏｃｏｌ  Ｄａｔａ  Ｕｎｉｔ）の内容を示す第４の実施例である。本実施例は、保守管理専用パケット以外のデータ信号パケットのＰＤＵを示し、切替制御情報の伝達手段の第２の実施例として説明した、前記パスの通信状態を相互に伝達し合う保守管理情報を含む保守管理専用パケットを使用し、該保守管理専用パケットとして切替制御情報を伝達する保守管理専用パケットを使用し、かつ、前記宛先情報が保守対象となるパスに付与する宛先と同一の値を付与する方式で使用される。更に図１７は、切替制御情報以外の保守管理情報を、付加情報としてデータ信号パケットに埋め込む場合の実施例である。
【００４４】
ＰＤＵ１４５７は、前記パケット網１０１がＬ２網の場合の保守管理専用パケット以外のデータ信号パケットのＰＤＵの内容を示している。ＰＤＵ１４５７は、Ｌ２ヘッダ４１０、ＰＤＵ識別子１４０２、付加情報４０１、多重化ＴＤＭ情報４０２、Ｌ２トレイラ４１１より構成され、Ｌ２ヘッダ４１０の実施例として、ＭＡＣヘッダ４１２、ＶＬＡＮタグ４１３を示している。ＭＡＣヘッダはＩＥＥＥ８０２．３で規定され、ＶＬＡＮタグはＩＥＥＥ８０２．１Ｑにおいて規定される。前記宛先情報の例として、ＶＬＡＮタグのＶＩＤ（Ｖｉｒｔｕａｌ  ＬＡＮ  Ｉｄｅｎｔｉｆｉｅｒ）や、ＭＡＣヘッダのＤＡ（Ｄｅｓｔｉｎａｔｉｏｎ  Ａｄｄｒｅｓｓ）が使用できる。
【００４５】
ＰＤＵ１４５８は、前記パケット網１０１がＬ３網の場合のＰＤＵの内容を示している。ＰＤＵ１４５８は、Ｌ３ヘッダ４２０、ＰＤＵ識別子１４０２、付加情報４０１、多重化ＴＤＭ情報４０２、Ｌ３トレイラ４２１より構成され、Ｌ３ヘッダ４２０の実施例として、ＩＰｖ４またはＩＰｖ６ヘッダ４２２を示している。ＩＰｖ４ヘッダはＩＥＴＦ  ＲＦＣ７９１、ＩＰｖ６ヘッダはＩＥＴＦ  ＲＦＣ１８８３によって規定される。前記宛先情報の例として、ＩＰヘッダの宛先ＩＰアドレスが使用できる。
【００４６】
ＰＤＵ１４５９は、前記パケット網１０１がＭＰＬＳ網の場合のＰＤＵの内容を示している。ＰＤＵ１４５９は、１つまたは２つ以上のＭＰＬＳラベル４３１−１〜ｎ、ＰＤＵ識別子１４０２、付加情報４０１、多重化ＴＤＭ情報４０２より構成される。ＭＰＬＳヘッダはシムヘッダと呼ばれＩＥＴＦ  ＲＦＣ３０３２によって規定される。前記宛先情報の例として、付加情報に近接したＭＰＬＳラベル４３１のラベル領域が使用できる。
【００４７】
ＰＤＵ１４５４、１４５５，１４５６、１４５７、１４５８、１４５９で説明した前記ＰＤＵ識別子１４０２は、保守管理専用パケットと他のデータ信号とを区別する目的を持ち、保守管理専用パケットおよび他のデータ信号の各々に対して固有の値が付与される。
【００４８】
ＰＤＵ１４５１、１４５２，１４５３、１４５４、１４５５、１４５６で説明した保守管理ペイロードの内容の実施例として、図６で示した切替情報（ＡＰＳ）５００と同一の内容が考えられる。
【００４９】
図７は、本発明のインタフェース変換装置の構成の１実施例を示す。本発明のインタフェース変換装置は、ＴＤＭ信号をパケット信号に変換、および逆変換を行うフレーム組立分解部７０１と、１つまたは２以上のＴＤＭ信号７１９−１〜ｎを受信してフレーム組立分解部７０１に送信する１つまたは２以上の受信ＴＤＭ信号物理インタフェース部７０７−１〜ｎと、フレーム組立分解部７０１から出力された現用系送信パケット信号７１２を受信し、現用系送信物理リンク１０５−１−１に送信する現用系パケット送信物理インタフェース部７０３と、フレーム組立分解部７０１から出力された予備系送信パケット信号７１３を受信し、予備系送信物理リンク１０５−２−１に送信する予備系パケット送信物理インタフェース部７０４と、現用系受信物理リンク１０５−１−２から受信した現用系受信パケット情報をフレーム組立分解部７０１に送信する現用パケット受信物理インタフェース部７０５と、予備系受信物理リンク１０５−２−２から受信した予備系受信パケット情報をフレーム組立分解部７０１に送信する予備パケット受信物理インタフェース部７０６と、フレーム組立分解部７０１に送信保守情報７１６を送信しフレーム組立分解部７０１から受信保守情報７１７を受信する保守情報終端部７０２と、装置管理を行いフレーム組立分解部７０１と装置管理情報７１８を送受信する装置管理部７０９から構成される。
【００５０】
更に、フレーム組立分解部７０１の第１の構成例を図８に示す。本実施例は、切替制御情報の伝達手段の第１の実施例として説明した、パスの通信状態を相互に伝達し合う保守管理情報をパケット形式の信号データの内部に付加情報として含ませ、該付加情報に切替制御情報を含ませる方式での使用に好適である。また、本実施例はパケット網１０１がＬ２網の場合であって、かつ図３で説明したＰＤＵ４４１を使用する場合の１実施例である。実施例図３で説明を行った通り、パスの宛先情報としてＶＬＡＮタグを使用する。
【００５１】
フレーム組立分解部７０１は、前記受信ＴＤＭ信号物理インタフェース部７０７−１〜ｎから送信された複数のＴＤＭ信号７１０−１〜ｎを多重して多重化ＴＤＭ信号８５０を生成する多重化ＴＤＭ信号生成部８０１と、多重化ＴＤＭ信号８５０に付加情報を付加し、付加情報が付加された多重化ＴＤＭ信号８５２を出力する付加情報付与部８０６と、付加情報が付加された多重化ＴＤＭ信号８５２からＭＡＣフレームを組立てる現用ＭＡＣフレーム組立部８０９および予備ＭＡＣフレーム組立部８１０を有する。
【００５２】
また、フレーム組立分解部７０１は、現用系受信パケット情報７１４を受信しＭＡＣフレームを終端して、付加情報が付加された現用系多重化ＴＤＭ信号８５３を出力する現用系ＭＡＣフレーム終端部８１１と、予備系受信パケット情報７１５を受信しＭＡＣフレームを終端して、付加情報が付加された予備系多重化ＴＤＭ信号８５４を出力する予備系ＭＡＣフレーム終端部８１２と、付加情報が付加された現用系多重化ＴＤＭ信号８５３から付加情報を終端し、現用系多重化ＴＤＭ信号８５７および現用系パス終端情報８５５を出力する現用系付加情報終端部８０７と、付加情報が付加された予備系多重化ＴＤＭ信号８５４から付加情報を終端し、予備系多重化ＴＤＭ信号８５８および予備系パス終端情報８５６を出力する予備系付加情報終端部８０８と、現用系付加情報終端部８０７および予備系付加情報終端部８０８から各々出力された現用系多重化ＴＤＭ信号８５７および予備系多重化ＴＤＭ信号８５８のいずれか一つを選択する系セレクタ８１５と、系セレクタ８１５が選択した多重化ＴＤＭ信号８５９からＴＤＭ情報を分離し、送信ＴＤＭ信号物理インタフェース７０８−１〜ｎのうちいずれかまたは複数に出力する多重化ＴＤＭ信号分離部８０２と、前記保守情報終端部７０２との間で前記送信保守情報７１６および前記受信保守情報７１７を送受信する保守情報インタフェース８１３と、装置管理部７０９との間で装置管理情報７１８を送受信する装置管理インタフェース８１４と、２重化情報を管理する２重化情報管理部８０３から構成される。
【００５３】
現用ＭＡＣフレーム組立部８０９および予備ＭＡＣフレーム組立部８１０は、パス宛先付与部８１６を有する。また、現用系ＭＡＣフレーム終端部８１１および予備系ＭＡＣフレーム終端部８１２は、パス宛先終端部８１７を有する。これらのパス宛先は前記パスの宛先情報に相当し、本実施例ではＶＬＡＮタグを指す。また、この宛先情報は、パケット網１０１がＬ３網の場合には宛先ＩＰアドレス、パケット網１０１がＭＰＬＳ網の場合にはラベル値、などが実施例として考えられる。
【００５４】
保守情報インタフェース８１３は、現用系付加情報終端部８０７から出力される現用系パス終端情報８５５および予備系付加情報終端部８０８から出力される予備系パス終端情報８５６を受信し、受信保守情報７１７を保守情報終端部７０２に送信する。現用系パス終端情報８５５および予備系パス終端情報８５６の内容の例として、パス単位に終端した付加情報、およびパス障害情報などが考えられ、受信保守情報７１７はこれらの内容を含む。
【００５５】
また、保守情報インタフェース８１３は、保守情報終端部７０２から送信保守情報７１６を受信して、２重化情報管理部８０３に２重化制御情報８６１を送信する。２重化制御情報８６１の例として、切替ペア単位の系選択情報並びにＡＰＳ付加情報などが考えられる。
【００５６】
２重化情報管理部８０３では、前記２重化制御情報８６１に基づいて、系選択情報８６０を系セレクタ８１５に出力し、ＡＰＳ付加情報８５１を付加情報付与部８０６に出力する。付加情報付与部８０６はＡＰＳ付加情報８５１を付加情報として多重化ＴＤＭ信号８５０に付加する。
【００５７】
図９は、２重化情報管理部８０３の構成の第１の実施例を示す。２重化情報管理部８０３は、２重化制御情報８６１を記憶する２重化情報管理テーブル９０１と、切替ペア単位のＡＰＳ制御情報９０４を読み出してＡＰＳ付加情報を生成しＡＰＳ付加情報８５１として出力するＡＰＳ付加情報管理部８０４と、パス単位の系選択情報９０５を読み出して系選択情報８６０として出力する選択系管理部８０５から構成される。
【００５８】
図２０は、２重化情報管理テーブル９０１の内容の１実施例を示す。２重化情報管理テーブル９０１は、切替ペア単位にＡＰＳ制御情報および系選択情報が格納されたテーブルである。ＡＰＳ、Ｋ、ＡＬＭ０、ＡＬＭ１、ＯＰ、ＥＮは、図６で説明した切替情報（ＡＰＳ）５００の実施例と同一内容である。選択系は、該ペアの選択系を示している。
【００５９】
図１０は、保守情報終端部７０２の構成の実施例を示す。保守情報終端部７０２は、保守情報インタフェース１００１と、送信ＡＰＳ情報終端部１００２と、受信ＡＰＳ情報終端部１００３と、状態遷移部１００４と、装置管理インタフェース１００６から構成される。
【００６０】
受信ＡＰＳ情報終端部１００３は、受信保守信号１００８に基づいてイベント情報１０１０を生成し状態遷移部１００４に与え、状態遷移部１００４は、イベント情報１０１０をイベント情報として、内部の状態遷移を管理するテーブルに基づいて、遷移状態１００９を生成し送信側ＡＰＳ情報終端部１００２に与える。送信側ＡＰＳ情報終端部１００２は、遷移状態１００９に基づいて送信保守情報１００７を生成し保守情報インタフェース１００１に与える。装置管理部７０９は、装置管理インタフェース１００６に対して装置管理情報を与える。
【００６１】
受信保守信号１００８の例としては、パス単位の付加情報、およびパス障害情報などが考えられる。送信保守情報１００７としては、切替ペア単位の系選択情報およびＡＰＳ制御情報などが考えられる。装置管理情報の例として、現用パス、予備パスの登録情報、切替禁止、切替許可などがある。遷移状態１００９の実施例として、遷移状態の実施例として、０系選択アイドル状態、０系選択切替要求状態、０系選択切替応答状態、０系選択切替禁止状態、１系選択アイドル状態、１系選択切替要求状態、１系選択切替応答状態および１系選択切替禁止状態などが考えられる。
【００６２】
図２１は、送信側ＡＰＳ情報終端部１００２において遷移状態１００９に基づいて送信保守情報１００７を生成する際の、遷移状態１００９と送信保守情報１００７の対応関係の一実施例を示す。対応表２１０１は該対応関係を示し、遷移状態１００９の各状態に対して、ＡＰＳ制御情報および選択系の情報を対応付ける。Ｋ、ＡＬＭ０、ＡＬＭ１、ＯＰ、ＥＮはＡＰＳ付加情報を示し、図６で説明した切替情報（ＡＰＳ）５００の実施例と同一内容である。
【００６３】
フレーム組立分解部７０１の第２の構成例を図１８に示す。本実施例は、切替制御情報の伝達手段の第２の実施例として説明した、パスの通信状態を相互に伝達し合う保守管理情報を含む保守管理専用パケットを使用し、該保守管理専用パケットとして切替制御情報を伝達する保守管理専用パケットを使用する方式での使用に好適である。また、本実施例はパケット網１０１がＬ２網の場合であって、かつ図３で説明したＰＤＵ４４１を使用する場合の１実施例である。実施例図３で説明を行った通り、パスの宛先情報としてＶＬＡＮタグを使用する。
【００６４】
図１８の特徴とするところは、２重化情報管理部８０３がＡＰＳパケット情報１５０２を出力し、ＡＰＳパケット挿入部１５０１によって、付加情報付与部８０６が出力した付加情報が付与された多重化ＴＤＭ信号８５２に切替制御パケット情報１５０２が挿入される。付加情報付与部８０６は、切替制御情報以外の保守管理情報を付与する場合に使用される。
【００６５】
図１９は、２重化情報管理部８０３の構成の第２の実施例を示す。図１９の特徴とするところは、パス単位のＡＰＳ制御情報９０４を読み出してＡＰＳパケットを生成しＡＰＳパケット情報１５０２として出力するＡＰＳパケット管理部１６０１を有する。このときの２重化情報管理テーブル９０１の内容の例として、系選択情報およびＡＰＳのパケットのペイロードに記述されるＡＰＳ制御情報が、パス単位に格納されたテーブルなどが考えられる。
【００６６】
図１１は、本発明によるプロテクション方式による切替シーケンスの１実施例である。インタフェース変換装置（Ａ）１０２−１およびインタフェース変換装置（Ｂ）１０２−２間で２重化系が構築されている。インタフェース変換装置（Ａ）１０２−１の状態１１０３（以下、状態Ａと呼ぶ）、インタフェース変換装置（Ａ）１０２−１の選択系１１０１（以下、系Ａと呼ぶ）、インタフェース変換装置（Ｂ）１０２−２の状態１１０４（以下、状態Ｂと呼ぶ）、インタフェース変換装置（Ｂ）１０２−２の選択系１１０２（以下、系Ｂと呼ぶ）を参照しながら、以下に説明する。
【００６７】
初期状態では、状態Ａは「０系選択、障害なし、アイドル状態」であり、系Ａは０系、一方、状態Ｂは「０系選択、障害なし、アイドル状態」であり、系Ｂは０系である。この状態では、インタフェース変換装置（Ａ）１０２−１の前記切替情報（ＡＰＳ）５００（以下、出力Ａと呼ぶ）は「０系アイドル状態」１１１１、インタフェース変換装置（Ｂ）１０２−２の前記切替情報（ＡＰＳ）５００（以下、出力Ｂと呼ぶ）は「０系アイドル状態」１１１２である。
【００６８】
インタフェース変換装置（Ａ）１０２−１の０系パスに障害１１１３が発生した場合、状態Ａは「１系選択状態、０系障害、切替要求状態」、系Ａが１系となり、出力Ａが「１系切替要求」１１１４となる。「１系切替要求」１１１４を受信したインタフェース変換装置（Ｂ）１０２−２は、状態Ｂが「１系選択状態、障害なし、切替応答状態」、系Ｂが１系となり、出力Ｂが「１系切替応答」１１１５となる。「１系切替応答」１１１５を受信したインタフェース変換装置（Ａ）１０２−１は、状態Ａは「１系選択状態、０系障害、アイドル状態」、系Ａが１系を維持し、出力Ａが「１系アイドル状態」１１１６となる。「１系アイドル状態」１１１６を受信したインタフェース変換装置（Ｂ）１０２−２は、状態Ｂが「１系選択状態、障害なし、アイドル状態」、系Ｂが１系を維持し、出力Ｂが「１系アイドル状態」１１１７となる。その後、インタフェース変換装置（Ａ）１０２−１の０系パス障害が回復１１１８した場合、状態Ａは「１系選択状態、障害なし、アイドル状態」、系Ａ、出力Ａは現状を維持する。
【００６９】
図１１のシーケンスは、切戻しを行っていないが、切戻しを行うシーケンスも可能である。また、インタフェース変換装置（Ａ）１０２−１の０系パスに障害１１１３が発生した場合に系Ａを１系に切り替えているが、出力Ｂが「１系切替応答」１１１５を受信したタイミングで系Ａを１系に切り替えても良い。また、図１１のシーケンスは、インタフェース変換装置（Ａ）１０２−１の０系パスに障害１１１３が発生した場合を示したが、インタフェース変換装置（Ｂ）１０２−２の０系パスに障害が発生した場合も同様に切替シーケンスが実施される。
【００７０】
図１２は、本発明によるプロテクション方式の切替トリガの実施例を示す。切替トリガは主信号障害および性能劣化に分類される。主信号障害による切替トリガの第１の実施例として、インタフェース変換装置の現用パスの接続障害を検出した場合に、予備パスへの切替動作を行う。接続障害の検出方法の例として、パスを経由して連続的に到着するパケットの到着間隔がしきい時間以上である場合に、該当パスの接続障害と判定する。
【００７１】
主信号障害による切替トリガの第２の実施例として、インタフェース変換装置のパケット網側接続端において、現用物理リンクが接続されるパケット網側接続端で物理障害を検出した場合に予備パスへの切替動作を行う。
【００７２】
性能劣化による切替トリガの第１の実施例として、前記パスを経由して到着するパケットの欠落、重複、または順序入れ替わりを検出し、単位時間あたりに発生する前記パケットの欠落、重複、または順序入れ替わり事象の発生頻度が、一定のしきい値を超過した場合に、予備パスへの切替動作を行う。
【産業上の利用可能性】
【００７３】
本発明によれば、ＴＤＭないしはＳＴＭのような同期転送信号をパケット伝送プロトコルでカプセル化し、回線エミュレーションを行うインタフェース変換装置を用いたネットワークにおいて、パケット網の信頼性を向上させることが可能となる。
【図面の簡単な説明】
【００７４】
【図１】本発明の２重化方法の実施形態によるネットワークの構成を示すブロックの１実施例である。
【図２】本発明の２重化方法の実施形態によるネットワークの構成を示すブロックの１実施例である。
【図３】イーサネット（登録商標）網、ＩＰパケット網またはＭＰＬＳ網を通過するイーサネット（登録商標）フレーム、ＩＰパケットまたはＭＰＬＳパケットのフォーマットの第１の実施例である。
【図４】各レイヤで付加を行う付加情報の内容の１実施例である。
【図５】各レイヤで付加を行う付加情報の内容の１実施例である。
【図６】各レイヤで付加された付加情報に含まれるＡＰＳ情報の内容の１実施例である。
【図７】本発明のインタフェース変換装置の構成の１実施例である。
【図８】本発明のインタフェース変換装置に含まれるフレーム組立分解部の構成の第１の実施例である。
【図９】本発明のフレーム組立分解部に含まれる２重化情報管理部の構成の第１の実施例である。
【図１０】本発明のインタフェース変換装置に含まれる保守情報終端部の構成の１実施例である。
【図１１】本発明の２重化方法の切替シーケンスの１実施例である。
【図１２】本発明の２重化方法の切替トリガの１実施例である。
【図１３】切替制御情報の伝達手段の第１の実施例である。
【図１４】切替制御情報の伝達手段の第２の実施例である。
【図１５】イーサネット（登録商標）網、ＩＰパケット網またはＭＰＬＳ網を通過するイーサネット（登録商標）フレーム、ＩＰパケットまたはＭＰＬＳパケットのフォーマットの第２の実施例である。
【図１６】イーサネット（登録商標）網、ＩＰパケット網またはＭＰＬＳ網を通過するイーサネット（登録商標）フレーム、ＩＰパケットまたはＭＰＬＳパケットのフォーマットの第３の実施例である。
【図１７】イーサネット（登録商標）網、ＩＰパケット網またはＭＰＬＳ網を通過するイーサネット（登録商標）フレーム、ＩＰパケットまたはＭＰＬＳパケットのフォーマットの第３の実施例である。
【図１８】本発明のインタフェース変換装置に含まれるフレーム組立分解部の構成の第２の実施例である。
【図１９】本発明のフレーム組立分解部に含まれる２重化情報管理部の構成の第２の実施例である。
【図２０】２重化情報管理テーブル９０１の内容の１実施例である。
【図２１】遷移状態１００９と送信保守情報１００７の対応関係の一実施例である。
【符号の説明】
【００７５】
１０１…パケット網
１０２−１…インタフェース変換装置
１０２−２…インタフェース変換装置
１０２−３…インタフェース変換装置
１０３−１…従来からのＴＤＭ網
１０３−２…従来からのＴＤＭ網
１０３−３…従来からのＴＤＭ網
１０４−１…ＴＤＭ網に接続される端末
１０４−２…ＴＤＭ網に接続される端末
１０４−３…ＴＤＭ網に接続される端末
１０５−１…現用物理リンク
１０５−２…現用物理リンク
１０５−３…現用物理リンク
１０６−１…予備物理リンク
１０６−２…予備物理リンク
１０６−３…予備物理リンク
１０７…現用パス
１０７−１…現用パス
１０７−２…現用パス
１０８…予備パス
１０８−１…予備パス
１０８−２…予備パス
１０９…現用サブパケット網
１１０…予備サブパケット網
４０１…付加情報
４０１−１…付加情報
４０１−２…付加情報
４０２…多重化ＴＤＭ信号
４１０…Ｌ２ヘッダ
４１１…Ｌ２トレイラ
４１２…ＭＡＣヘッダ
４１３…ＶＬＡＮタグ
４２０…Ｌ３ヘッダ
４２１…Ｌ３トレイラ
４２２…ＩＰｖ４またはＩＰｖ６ヘッダ
４３１−１〜ｎ…ＭＰＬＳラベル
４４１…Ｌ２網のＰＤＵ
４４２…Ｌ３網のＰＤＵ
４４３…ＭＰＬＳ網のＰＤＵ
５００…切替情報
５０１…シーケンスナンバ（ＳＮ）
５０２…ＴＤＭ情報の先頭位置を示すポインタ
５０３…アラーム
５０４…エラー情報
５０５…ＴＤＭ情報の多重化方法を示すラベル
５０６…レングス情報
５０７…制御情報
５０８…時局障害情報を表すＬ領域
５０９…遠隔端障害を表すＲ領域
５１０…障害状態を表すＭ領域
５１１…フラグメンテーション情報
５１２…レングス情報
５１３…シーケンスナンバ
６０１…系表示情報
６０２…０系障害情報
６０３…１系障害情報
６０４…切替制御情報
６０５…イネーブル情報
７０１…フレーム組立分解部
７０２…保守情報終端部
７０３…現用系パケット送信物理インタフェース部
７０４…予備系パケット送信物理インタフェース部
７０５…現用パケット受信物理インタフェース部
７０６…予備パケット受信物理インタフェース部
７０７−１〜ｎ…受信ＴＤＭ信号物理インタフェース部
７０８−１〜ｎ…送信ＴＤＭ信号物理インタフェース部
７０９…装置管理部
７１０−１〜ｎ…受信ＴＤＭ信号
７１１−１〜ｎ…送信ＴＤＭ信号
７１２…現用系送信パケット信号
７１３…予備系送信パケット信号
７１４…現用系受信パケット信号
７１５…予備系受信パケット信号
７１６…送信保守情報
７１７…受信保守情報
７１８…装置管理情報
７１９−１〜ｎ…受信ＴＤＭ信号
７２０−１〜ｎ…送信ＴＤＭ信号
８０１…多重ＴＤＭ情報生成部
８０２…多重ＴＤＭ情報分離部
８０３…２重化情報管理部
８０４…ＡＰＳ付加情報管理部
８０５…選択系管理部
８０６…付加情報付与部
８０７…現用系付加情報終端部
８０８…予備系付加情報終端部
８０９…現用系Ｌ２フレーム組立部
８１０…予備系Ｌ２フレーム組立部
８１１…現用系Ｌ２フレーム終端部
８１２…予備系Ｌ２フレーム終端部
８１３…保守情報インタフェース
８１４…装置管理インタフェース
８１５…系セレクタ
８１６…パス宛先付与部
８１７…パス宛先終端部
８５０…多重化ＴＤＭ信号
８５１…ＡＰＳ付加情報
８５２…付加情報が付加された多重化ＴＤＭ信号
８５３…付加情報が付加された現用系多重化ＴＤＭ信号
８５４…付加情報が付加された予備系多重化ＴＤＭ信号
８５５…現用系パス終端情報
８５６…予備系パス終端情報
８５７…現用系多重化ＴＤＭ信号
８５８…予備系多重化ＴＤＭ信号
８５９…多重化ＴＤＭ信号
８６０…系選択情報
８６１…２重化制御情報
８６２…現用パス障害情報
８６３…予備パス障害情報
９０１…２重化情報管理テーブル
９０４…ＡＰＳ制御情報
９０５…選択系管理部
１００１…保守情報インタフェース
１００２…送信ＡＰＳ情報終端部
１００３…受信ＡＰＳ情報終端部
１００４…状態遷移制御部
１００５…状態遷移管理テーブル
１００６…装置管理インタフェース
１００７…送信保守情報
１００８…イベント情報
１００９…遷移状態
１０１０…受信付与情報
１０１１…状態遷移情報
１１０１…インタフェース変換装置Ａの選択系
１１０２…インタフェース変換装置Ｂの選択系
１１０３…インタフェース変換装置Ａの切替状態
１１０４…インタフェース変換装置Ｂの切替状態
１１１１〜１１１８…切替シーケンスの各ステップ
１２００…切替トリガの実施例
１３０１−１〜４…主信号パケット
１３０２−１〜４…付加情報
１３１１−１〜３…主信号パケット
１３１２…保守管理専用パケット
１４０１…保守管理ペイロード
１４０２…ＰＤＵ識別子
１４５１…保守管理専用パケットのＬ２網のＰＤＵ
１４５２…保守管理専用パケットのＬ３網のＰＤＵ
１４５３…保守管理専用パケットのＭＰＬＳ網のＰＤＵ
１４５４…保守管理専用パケットのＬ２網のＰＤＵ
１４５５…保守管理専用パケットのＬ３網のＰＤＵ
１４５６…保守管理専用パケットのＭＰＬＳ網のＰＤＵ
１４５７…主信号データパケットのＬ２網のＰＤＵ
１４５８…主信号データパケットのＬ３網のＰＤＵ
１４５９…主信号データパケットのＭＰＬＳ網のＰＤＵ
１５０１…ＡＰＳパケット挿入部
１５０２…ＡＰＳパケット情報
１６０１…ＡＰＳパケット管理部
２１０１…遷移状態１００９と送信保守情報１００７の対応関係
【図１】
2006067040.tif 000003
【図２】
2006067040.tif 000004
【図３】
2006067040.tif 000005
【図４】
2006067040.tif 000006
【図５】
2006067040.tif 000007
【図６】
2006067040.tif 000008
【図７】
2006067040.tif 000009
【図８】
2006067040.tif 000010
【図９】
2006067040.tif 000011
【図１０】
2006067040.tif 000012
【図１１】
2006067040.tif 000013
【図１２】
2006067040.tif 000014
【図１３】
2006067040.tif 000015
【図１４】
2006067040.tif 000016
【図１５】
2006067040.tif 000017
【図１６】
2006067040.tif 000018
【図１７】
2006067040.tif 000019
【図１８】
2006067040.tif 000020
【図１９】
2006067040.tif 000021
【図２０】
2006067040.tif 000022
【図２１】
2006067040.tif 000023